(57)【要約】【課題】  本体にセットされている光ディスクの記録層の色を検出することで、この光ディスクの種別の判定に要する時間の短縮を図った光ディスク装置を提供する。【解決手段】  光ディスク装置１は、白色光源１１を点灯させ、光ディスク１０からの反射光量をフォトディテクタ１２〜１４で検出する。フォトディテクタ１２ではフィルタ１２ａにより記録面からの赤色の反射光の強度が検出され、フォトディテクタ１３ではフィルタ１３ａにより記録面からの緑色の反射光の強度が検出され、フォトディテクタ１４ではフィルタ１４ａにより記録面からの青色の反射光の強度が検出される。光ディスク装置１は、記録面の色を検出し、ここで検出した色から光ディスク１０の種別を判定する。【選択図】  図１
2006179087.tif 000002
【特許請求の範囲】
【請求項１】
本体にセットされている光ディスクに対してデータの記録や、データの読取を行う記録／読取手段を備えた光ディスク装置において、
本体にセットされている光ディスクの記録面に対して白色光を照射する白色光照射手段と、
前記白色光照射手段により照射された白色光について、光ディスクからの反射光を検出し、該光ディスクの記録面の色を検出する色検出手段と、
前記色検出手段により検出された色に基づいて、光ディスクの種別を判定する種別判定手段と、
本体の電源がオンされたとき、および本体に光ディスクがセットされたときに、前記白色光照射手段による白色光の照射を行い、前記種別判定手段により本体にセットされている光ディスクの種別の判定を行う種別判定実行手段と、を備え、
前記色検出手段は、赤、緑、青の３色それぞれについて、本体にセットされている光ディスクに照射した白色光の反射光を検出する受光素子を有し、受光素子毎に検出した赤、緑、青の３色の反射光量の比率から、本体にセットされている光ディスクの記録面の色を検出する手段である光ディスク装置。
【請求項２】
本体にセットされている光ディスクに対してデータの記録や、データの読取を行う記録／読取手段を備えた光ディスク装置において、
本体にセットされている光ディスクの記録面に対して白色光を照射する白色光照射手段と、
前記白色光照射手段により照射された白色光について、光ディスクからの反射光を検出し、該光ディスクの記録面の色を検出する色検出手段と、
前記色検出手段により検出された色に基づいて、光ディスクの種別を判定する種別判定手段と、を備えた光ディスク装置。
【請求項３】
本体の電源がオンされたとき、および本体に光ディスクがセットされたときに、前記白色光照射手段による白色光の照射を行い、前記種別判定手段により本体にセットされている光ディスクの種別の判定を行う種別判定実行手段を備えた請求項２に記載の光ディスク装置。
【請求項４】
前記色検出手段は、赤、緑、青の３色それぞれについて、本体にセットされている光ディスクに照射した白色光の反射光を検出する受光素子を有し、受光素子毎に検出した赤、緑、青の３色の反射光量の比率から、本体にセットされている光ディスクの記録面の色を検出する手段である請求項２または３に記載の光ディスク装置。
【発明の詳細な説明】
【技術分野】
【０００１】
この発明は、ＣＤ、ＤＶＤ等の光ディスクに対してデータの記録や、記録されているデータの読取を行う光ディスク装置に関する。
【背景技術】
【０００２】
従来、ＣＤ、ＤＶＤ等の光ディスクに対してデータの記録や、記録されているデータの読取を行う光ディスク装置が一般に普及している。光ディスクには、再生専用のＲＯＭディスク、追記型のＲディスク、書換型のＲＷディスクがある。また、ＤＶＤのＲＯＭディスクには、記録層が１層であるものと、２層であるものがある。ＣＤとＤＶＤとでは、記録時や読取時に照射するレーザ光の波長が異なり、また同じ種別の光ディスクであっても記録時と読取時とで照射するレーザ光のパワーが異なる。言い換えれば、光ディスク装置は、本体にセットされている光ディスクの種別や、その光ディスクに対して実行する処理の種類（記録、読取）に応じて、光ディスクに照射するレーザ光の波長やパワーを変化させている。周知のように、記録パワー＞読取パワーである。
【０００３】
光ディスク装置は、本体に光ディスクがセットされている状態で電源がオンされたときや、本体に光ディスクがセットされたときに、本体にセットされている光ディスクの種別の判定を行っている。例えば、一般的な従来の光ディスク装置は、光ディスクの内周側のインフォメーション領域に記録されているデータを読み取って光ディスクの種別を判別している。この従来の方式では、本体にセットされている光ディスクに対してフォーカスオン、およびトラックオンした後に、この光ディスクのインフォメーション領域に記録されているデータを読み取ることから、光ディスクの種別の判定に要する時間が長いという問題があった。
【０００４】
そこで、光ディスクに記録されているデータを読み取ることなく、この光ディスクの種別を判定する方法として、白色光源を用いて７８０ｎｍ、および６５０ｎｍの波長を含んだ光を本体にセットされている光ディスクに照射し、バンドパスフィルタを用いて７８０ｎｍ、および６５０ｎｍの光の反射光量を検出し、これら２つの反射光量の差に基づいてセットされている光ディスクの種別を判別することが提案されている（特許文献１参照）。この方法では、光ディスクに記録されているデータを読み取ることなく、本体にセットされている光ディスクの種別を判定することができる。
【特許文献１】特開平１０−２３３０５３号公報
【発明の開示】
【発明が解決しようとする課題】
【０００５】
しかしながら、光ディスクは、その種別により記録層の色が異なっている。具体的には、ＤＶＤは、記録層が１層のＲＯＭディスクが銀色、記録層が２層のＲＯＭディスクが金色、Ｒディスクが青紫色、ＲＷディスクが黒色である。同様にＣＤもＲＯＭディスクが銀色、Ｒディスクが青紫色、ＲＷディスクが黒色である。このように、光ディスクはその種別により記録層の色が異なっている。したがって、本体にセットされている光ディスクの記録層の色を検出することで、その光ディスクの種別を簡単に判定することができるのであるが、これまで記録層の色を検出し、光ディスクの種別を判定することについては何ら提案されていなかった。
【０００６】
この発明の目的は、本体にセットされている光ディスクの記録層の色を検出することで、この光ディスクの種別の判定に要する時間の短縮を図った光ディスク装置を提供することにある。
【課題を解決するための手段】
【０００７】
この発明の光ディスク装置は、上記目的を達成するために以下の構成を備えている。
【０００８】
（１）本体にセットされている光ディスクに対してデータの記録や、データの読取を行う記録／読取手段を備えた光ディスク装置において、
本体にセットされている光ディスクの記録面に対して白色光を照射する白色光照射手段と、
前記白色光照射手段により照射された白色光について、光ディスクからの反射光を検出し、該光ディスクの記録面の色を検出する色検出手段と、
前記色検出手段により検出された色に基づいて、光ディスクの種別を判定する種別判定手段と、を備えている。
【０００９】
この構成では、白色光照射手段により白色光を光ディスクの記録面に照射し、色検出手段が光ディスクの記録面からの反射光を検出し、該光ディスクの記録面の色を検出する。周知のように、全ての色は、光の３原色の割合と、量（明度）で表すことができる。したがって、光ディスクの記録面からの反射光に含まれている光の３原色（赤、緑、青）の強度をそれぞれ検出することで、記録面の色を検出することができる。
【００１０】
また、光ディスク（ＤＶＤ）の記録層は、記録層が１層のＲＯＭディスクが銀色、記録層が２層のＲＯＭディスクが金色、Ｒディスクが青紫色、ＲＷディスクが黒色である。このように、光ディスクは、その種別により記録層の色が異なっている。種別判定手段が、色検出手段により検出された光ディスクの記録層の色に基づいて、この光ディスクの種別を判定する。
【００１１】
このように、検出した光ディスクの記録層の色から、この光ディスクの種別を判定するので、本体にセットされた光ディスクの種別の判定に要する時間の短縮が図れる。したがって、本体にセットされた光ディスクに対してデータの記録や読取を開始するまでの時間の短縮が図れ、ユーザの使い勝手を向上できる。
【００１２】
（２）本体の電源がオンされたとき、および本体に光ディスクがセットされたときに、前記白色光照射手段による白色光の照射を行い、前記種別判定手段により本体にセットされている光ディスクの種別の判定を行う種別判定実行手段を備えている。
【００１３】
この構成では、本体にセットされている光ディスクに対して、その種別の判定が速やかに行われる。
【００１４】
（３）前記色検出手段は、赤、緑、青の３色それぞれについて、本体にセットされている光ディスクに照射した白色光の反射光を検出する受光素子を有し、受光素子毎に検出した赤、緑、青の３色の反射光量の比率から、本体にセットされている光ディスクの記録面の色を検出する手段である。
【００１５】
この構成では、赤、緑、青の３色について、反射光を検出する受光素子を個別に設けたので、簡単な制御で光ディスクの記録面の色を検出することができる。
【発明の効果】
【００１６】
この発明によれば、検出した光ディスクの記録層の色から、この光ディスクの種別を判定するので、本体にセットされた光ディスクの種別の判定に要する時間の短縮が図れる。したがって、本体にセットされた光ディスクに対してデータの記録や読取を開始するまでの時間の短縮が図れ、ユーザの使い勝手を向上できる。
【００１７】
また、本体にセットされている光ディスクに対して、その種別の判定が速やかに行える。
【００１８】
さらに、簡単な制御で光ディスクの記録面の色を検出することができる。
【発明を実施するための最良の形態】
【００１９】
以下、この発明の実施形態である光ディスク装置について説明する。
【００２０】
図１は、この発明の実施形態である光ディスク装置の主要部の構成を示す図である。この実施形態の光ディスク装置１は、本体の動作を制御する制御部２と、本体にセットされているＣＤやＤＶＤ等の光ディスク１０に対してデータの記録や、記録されているデータの読取を行う記録／読取部３と、光ディスク１０に記録するデータのエンコードや、光ディスク１０から読み取ったデータのデコードを行うデータ処理部４と、入力された映像や音声等をディジタルデータに変換しデータ処理部４に入力する入力信号処理部５と、データ処理部４でデコードされたデータに基づく再生信号を生成し出力する再生信号生成部６と、装置本体に対する入力操作を受け付ける操作部７と、本体にセットされている光ディスク１０の記録面の色を検出する色検出部８と、を備えている。
【００２１】
記録／読取部３には、光ディスク１０に対してレーザ光を照射するＬＤ（レーザダイオード）、ＬＤから照射されたレーザ光を集光する対物レンズ、光ディスク１０からの反射光を検出するＰＤ（フォトディテクタ）を有する公知のピックアップヘッドが設けられている。ピックアップヘッドは、対物レンズを光ディスクに対して接離する方向、および半径方向に移動する２軸のアクチュエータに取り付けている。ピックアップヘッドに設けられているＰＤは、縦、横にそれぞれ２分割された（合計４分割された）ディテクタである。記録／読取部３は、ＰＤで検出した光ディスク１０からの反射光から、公知のフォーカスエラー信号（ＦＥ信号）、トラッキングエラー信号（ＴＥ信号）、読取信号（ＲＦ信号）を生成する。ＦＥ信号は、光ディスク１０の記録面とＬＤから照射されたレーザ光の集光位置とのズレ量を示す信号であり、ＴＥ信号は光ディスクのトラックの中心とＬＤから照射されたレーザ光の集光位置とのズレ量を示す信号である。記録読取部３には、ＦＥ信号に基づいてＬＤから照射されたレーザ光を光ディスク１０の記録面に集光するフォーカスサーボ制御部、ＴＥ信号に基づいてＬＤから照射されたレーザ光を光ディスク１０のトラックの中心に集光するトラッキングサーボ制御部も設けられている。フォーカスサーボ制御部は、周知のようにＦＥ信号に基づいてピックアップヘッドの対物レンズを光ディスク１０の記録面に対して接離する方向に移動するサーボ制御を行い、トラッキングサーボ制御部はＴＥ信号に基づいてピックアップヘッドの対物レンズを光ディスク１０の半径方向に移動するサーボ制御を行う。
【００２２】
また、記録／読取部３は光ディスク１０に記録されているデータの読取信号であるＲＦ信号をデータ処理部４に入力する。データ処理部４は、記録／読取部３から入力されたＲＦ信号を処理して、光ディスク１０から読み取ったデータを抽出し、ここで抽出したデータをデコードする。デコードされたデータは再生信号生成部６に入力される。再生信号生成部６はデータ処理部４から入力されたデータ（デコードされたデータ）に基づく映像や音声等の再生信号を生成し、出力する。この再生信号はテレビ受像機等の装置に入力され、この再生信号が入力された装置で映像や音声が出力される。
【００２３】
また、入力信号処理部５には光ディスク１０に記録する映像や音声のアナログ信号が入力される。入力信号処理部５は、この入力されたアナログ信号をディジタル信号に変換しデータ処理部４に入力する。データ処理部４は、入力信号処理部５から入力されたディジタル信号によるデータをＭＰＥＧ等でエンコードし、このエンコードしたデータを記録／読取部３に入力する。記録／読取部３は、エンコードされたデータを光ディスク１０に記録する。光ディスク１０に対するデータの記録や、光ディスク１０に記録されているデータの読み取りにかかる動作については周知であるので、ここでは説明を省略する。
【００２４】
さらに、色検出部８は、図２に示すように光ディスク１０の記録面に白色光を照射する白色光源１１と、光ディスク１０の記録面で反射された白色光を検出するフォトディテクタ１２〜１４を備えている。フォトディテクタ１２には、赤色の光（略６８０ｎｍ）を透過し、その他の色の光を透過させない赤フィルタ１２ａが設けられている。フォトディテクタ１３には、緑色（略５３０ｎｍ）の光を透過し、その他の色の光を透過させない緑フィルタ１３ａが設けられている。フォトディテクタ１４には、青色（略４５０ｎｍ）の光を透過し、その他の色の光を透過させない青フィルタ１４ａが設けられている。したがって、フォトディテクタ１２では赤色の光の強度が検出され、フォトディテクタ１３では緑色の光の強度が検出され、フォトディテクタ１４では青色の光の強度が検出される。色検出部８は、フォトディテクタ１２〜１４で検出された赤、緑、青の３色の光の強度から、光ディスク１０の記録面の色を検出する。
【００２５】
ＤＶＤ等の光ディスク１０の記録面は、上述したようにその種別により色が異なっている。この実施形態の光ディスク装置１は色検出部８で検出した光ディスク１０の記録面の色に基づいて、その光ディスク１０の種別を判定する。光ディスク１０の記録面の色は、記録層が１層のＲＯＭディスクが銀色、記録層が２層のＲＯＭディスクが金色、Ｒディスクが青紫色、ＲＷディスクが黒色である。また、白色光源１１、およびフォトディテクタ１２〜１４は、図示していないスレッドモータでピックアップヘッドを光ディスク１０の半径方向に移動したときに、ピックアップヘッドが当たらない位置、言い換えればピックアップヘッドの移動に対して邪魔にならない位置、に取り付けている（図２参照）。
【００２６】
次に、この発明の実施形態である光ディスク装置１における、セットされている光ディスクの種別の判定にかかる処理について説明する。図３は、この種別判定にかかる処理（種別判定処理）を示すフローチャートである。光ディスク装置１は、この種別判定処理を装置本体の電源がオンされたとき、および装置本体に光ディスク１０がセットされたとき等、種別を判定していない光ディスク１０が本体にセットされている可能性がある程度高いときに実行する。まず、光ディスク装置１は、白色光源１１を点灯し（ｓ１）、フォトディテクタ１２〜１４毎に検出されている光の強度を取得する（ｓ２）。光ディスク装置１は、各フォトディテクタ１２〜１４で検出された光の強度から、本体に光ディスク１０がセットされているかどうかを判定する（ｓ３）。ｓ３では、全てのフォトディテクタ１２〜１４で検出された光の強度が予め定めた閾値レベルＡよりも低ければ、本体に光ディスク１０がセットされていない未セット状態であると判定すると本処理を終了する。
【００２７】
このように、この実施形態の光ディスク装置１は、全てのフォトディテクタ１２〜１４で検出された光の強度が閾値レベルＡよりも小さければ、白色光源１１により照射した白色光を反射する物体、すなわち光ディスク１０、がセットされていないと判断する。
【００２８】
一方、ｓ３で光ディスク１０が本体にセットされていると判定すると、各フォトディテクタ１２〜１４で検出した光の強度から、本体にセットされている光ディスク１０の記録面の色が、銀色、金色、青紫色、または黒色のいずれであるかを検出する（ｓ４〜ｓ７）。光ディスク装置１は、全てのフォトディテクタ１２〜１４で検出された光の強度が予め定めた閾値レベルＢよりも大きければ銀色と検出する。また、フォトディテクタ１２、１３で検出された光の強度が閾値レベルＢよりも大きく、フォトディテクタ１４で検出された光の強度が閾値レベルＢよりも小さければ金色であると検出する。また、フォトディテクタ１２、１４で検出された光の強度が予め定めた閾値レベルＣよりも大きく、フォトディテクタ１３で検出された光の強度が閾値レベルＣよりも小さければ、青紫色であると判定する。さらに、全てのフォトディテクタ１２〜１４で検出された光の強度が閾値レベルＡとＣの間であれば黒色であると検出する。図４に閾値レベルＡ、Ｂ、Ｃの関係を示しておく。
【００２９】
光ディスク装置１は、ｓ４で銀色と検出すると、本体にセットされている光ディスク１０を記録層が１層のＲＯＭディスクであると判別する（ｓ８）。また、ｓ５で金色と検出すると、本体にセットされている光ディスク１０を記録層が２層のＲＯＭディスクであると判別する（ｓ９）。また、ｓ６で青紫色と検出すると、本体にセットされている光ディスク１０をＲディスクであると判別する（ｓ１０）。さらに、ｓ７で黒色と検出すると、本体にセットされている光ディスク１０をＲＷディスクでると判別する（ｓ１１）。
【００３０】
このように、少なくともいずれか１つのフォトディテクタ１２〜１４で検出された光の強度が閾値レベルＡよりも大きければ、白色光源１１により照射した白色光を反射する光ディスク１０がセットされていると判断する。また、光ディスク１０がセットされていると判断したときには、その光ディスク１０の記録面の色を検出し、その種別（ＲＯＭ一層、２層、Ｒ、ＲＷ）を判定する。
【００３１】
また、光ディスク装置１は、ｓ４〜ｓ７で光ディスク１０の記録面の色が銀色、金色、青紫色、または黒色の４色のいずれであるか検出できなかった場合には、該光ディスク１０のインフォメーション領域に記録されている情報を読み出し（ｓ１２）、ここで読み出した情報からこの光ディスクの種別を判定する（ｓ１３）。
【００３２】
光ディスク装置１は、図３に示す処理で本体にセットされている光ディスク１０の種別を判別すると、操作部７において、この光ディスク１０に対する処理、データの記録や読取、の要求を待つ。
【００３３】
このように、この実施形態の光ディスク装置１は、本体にセットされている光ディスク１０の記録面に白色光を照射し、赤、緑、青の反射光の強度をそれぞれ検出することで、光ディスク１０の記録面の色を検出する。そして、ここで検出した記録面の色から光ディスク１０の種別を判定するので、本体にセットされている光ディスク１０の種別の判定に要する時間の短縮が図れる。これにより、電源オン時や、光ディスク１０の交換時に、ユーザを待たせる時間（本体にセットされている光ディスク１０の種別の判定に要する時間）を短縮でき、ユーザの操作性の向上が図れる。
【００３４】
また、上記実施形態では、フォトディテクタ１２〜１４にそれぞれ、赤、緑、青のフィルタ１２ａ〜１４ａを設けるとしたが、フィルタ１２ａ〜１４に代えて、プリズム１５を設けてもよい。この場合、フォトディテクタ１２はプリズム１５で屈折された赤色の光が照射される位置に配置し、フォトディテクタ１３はプリズム１５で屈折された緑色の光が照射される位置に配置し、フォトディテクタ１４はプリズム１５で屈折された青色の光が照射される位置に配置すればよい。また、プリズム１５は、図５に示すように、白色光源１１から照射された白色光について、光ディスク１０の記録面で反射された光をフォトディテクタ１２〜１４に導く位置に配置される。この場合も、上記実施形態と同様に、フォトディテクタ１２〜１４で検出した光の強度から、光ディスク１０の記録面の色を検出し、この光ディスク１０の種別を判定することができる。
【図面の簡単な説明】
【００３５】
【図１】この発明の実施形態である光ディスク装置の主要部の構成を示す図である。
【図２】この発明の実施形態である光ディスク装置の色検出部の構成を示す図である。
【図３】この発明の実施形態である光ディスク装置における種別判定にかかる処理を示すフローチャートである。
【図４】この発明の実施形態である光ディスク装置における光ディスクの記録面の色検出に用いる閾値を示す図である。
【図５】この発明の別の実施形態である光ディスク装置の色検出部の構成を示す図である。
【符号の説明】
【００３６】
１−光ディスク装置
２−制御部
３−記録／読取部
４−データ処理部
５−入力信号処理部５
６−再生信号生成部
７−操作部
８−ディスク種別判定部
１０ー光ディスク
１１−白色光源
１２、１３、１４−フォトディテクタ
１２ａ、１３ａ、１４ａ−フィルタ
１５−プリズム
【図１】
2006179087.tif 000003
【図２】
2006179087.tif 000004
【図３】
2006179087.tif 000005
【図４】
2006179087.tif 000006
【図５】
2006179087.tif 000007